(57)【要約】      （修正有）【課題】本人や顧客の希望する広告や看板等の各種の表示板を各種材質、形態の物体に着脱可能に貼着する物体に貼着する表示装置を提供する。【解決手段】表示装置は、物体３に接着部２ｂを有し表面にスチールプレート２ａを設けたベース板２にマグネット部１ｂとその表面に広告や看板等を表示した表示用プレート１ａを有する表示板１を着脱可能に設ける。【選択図】図２
0003230040.tif 000002
【実用新案登録請求の範囲】
【請求項１】
本人や顧客（以下、本人等と仮称する）の希望する広告，看板，名称，用途，ＰＲ用資材，宣伝，標識，混載表示等を示す表示用プレートを前記本人等の希望する物体に着脱可能に固定するための表示装置であって、該表示装置を前記物体に直接接着するための接着部とその表面側に設けられ磁着可能の形態からなるスチールプレートとからなるベース板と、該ベース板の前記スチールプレートに磁着するマグネット部を有すると共にその表面側に前記表示用プレートを設置する表示板を設けることを特徴とする物体に貼着する表示装置。
【請求項２】
前記物体が車の荷台や車体，壁，構造体，衣類，帽子，ガラス，サックであり、前記表示装置が前記物体の外面又内面又は外内面に貼着するものであり、前記表示用プレートとしては通常のパネル板，電子パネル，ＡＲ（拡張現実），ＶＲの技術を有するパネルとからなることを特徴とする請求項１に記載の物体に貼着する表示装置。
【考案の詳細な説明】
【技術分野】
【０００１】  本考案は、物体に貼着し本人等の希望する広告，看板，名称，用途，ＰＲ用資料，宣伝，標識，混載表示等を示す表示板を有する物体に貼着する表示装置に関する。
【背景技術】
【０００２】  例えば、トラック等の車体の外面に色々の広告や看板等が表示されているものが存在している。すなわち例えば、広告装置や看板装置としては各種の公知技術があり、「特許文献１」の如きものがある。
【先行技術文献】
【特許文献】
【０００３】
【特許文献１】特願２０１７−１０５９号
【考案の概要】
【考案が解決しようとする課題】
【０００４】  前記の「特許文献１」の「特願２０１７−１０５９号」の「広告表示装置」は有用な特徴を有するものであるが後に説明する本考案の内容とは全く相違するものである。また、その他の公知技術としても本考案の如きものは出願人の調査では存在していない。【０００５】  広告や看板等を世の中に広く示したり、本人や顧客（本人等と仮称する）は単に車の荷台や車体等に本人等が希望する広告や看板等を表示するのみでは満足せず、その他の物体に対しても色々な表示を実施したいと考えている。そのために各種の内容や形態を有する表示装置を各種の物体に表示することが望まれている。
一方、その表示装置としては物体に着脱可能であることが望ましく、更に単に塗装等により固定的の内容のものも必要であるが塗装以外の手段によるものや変化の可能のものが望ましいと思料されていた。
本考案は以上のような事情に鑑み創案したものであり、種々な内容や形態の表示装置を考案したものであり、本人等の希望する表示を広く、かつ正確に世の中に示すための物体に貼着する表示装置を提案することを目的としたものである。
【課題を解決するための手段】
【０００６】    本考案は、以上の目的を達成するために請求項１の考案は、本人や顧客（以下、本人等と仮称する）の希望する広告，看板，名称，用途，ＰＲ用資材，宣伝，標識，混載表示等を示す表示用プレートを前記本人等の希望する物体に着脱可能に固定するための表示装置であって、該表示装置を前記物体に直接接着するための接着部とその表面側に設けられ磁着可能の形態からなるスチールプレートとからなるベース板と、該ベース板の前記スチールプレートに磁着するマグネット部を有すると共にその表面側に前記表示用プレートを設置する表示板を設けることを特徴とする。【０００７】  また、請求項２の考案は、前記物体が車の荷台や車体，壁，構造体，衣類，帽子，ガラス，サックであり、前記表示装置が前記物体の外面又内面又は外内面に貼着するものであり、前記表示用プレートとしては通常のパネル板，電子パネル，ＡＲ（拡張現実），ＶＲの技術を有するパネルとからなることを特徴とする。
【考案の効果】
【０００８】  本考案の請求項１の物体に貼着する表示装置によれば、本人等が表示を希望する物体は例えば、トラックの荷台や車体のような鉄製のもののみでなくアルミやステンレスやガラスの如き色々なものに対して表示を行うことが必要になる。
そのため表示装置としては鉄製のもの以外の材質のものに対しても表示板を固定する必要があるため本考案では表示装置としてベース板と表示板を重合したものから形成されている。この形態により、物体が任意の材質のものであっても本人等の希望する表示を表示することが出来、かつ着脱可能のため別のものと簡単に交換することが出来る。これにより用途の拡大と大きな宣伝効果を挙げることが出来る。【０００９】  また、本考案の請求項２の物体に貼着する表示装置によれば、物体として各種のものが具体的に示されると共に表示場所も物体の内外面に対しても適用され用途の拡大が図られる。また、電子的技術やＡＲ，ＶＲを用いることにより表示内容を変化させることが容易に出来、宣伝効果を拡大等を図ることが出来る。
【図面の簡単な説明】
【００１０】
【図１】  本考案を車両に適用した場所の一例を示す模式的側面図。
【図２】  本考案の物体に貼着する表示装置の断面構造を示す模式的断面図。
【図３】  表示板を車両に設けた実施例を示す写真。
【考案を実施するための形態】
【００１１】  以下、本考案の物体に貼着する表示装置の実施の形態を図面を用いて詳述する。
【実施例】
【００１２】  図１はトラック４の荷台５の外内面に本考案の表示装置を固定した形態を示す模式図である。
図示において実線は荷台５の外面に表示装置を固定したものであり、点線は荷台５の内面に表示装置を固定したものである。なお、表示板の具体的内容は多岐にわたるためその一例として図３の写真を示した。【００１３】  図２は本考案の物体に貼着する表示装置１００の構成を示す模式的断面図であり、物体に貼着する表示装置１００が物体３に固定されている状態を示すものである。
物体に貼着する表示装置１００は接着部２ｂとスチールプレート２ａとからなるベース板２と、マグネット部１ｂと表示用プレート１ａとからなる表示板１とからなり、接着部２ｂは任意の物体３に接着固定するためのものである。
表示板１はベース板２に対して着脱可能であり本人等が希望する他のものと容易に交換することが出来る。【００１４】  物体３としては各種のものが適用され、例えば、車の荷台や車体，壁，構造体，衣類，帽子，ガラス，サック等が挙げられるが勿論これに限定するものではない。【００１５】  本考案は以上の説明の内容のものからなるが、その内容は以上のものに限定するものではなく一般の技術的範疇のものが適用されることは勿論である。
【産業上の利用可能性】
【００１６】  本考案は各種の物体に適用され、表示板として各種のものが適用され、その利用範囲は極めて広い。
【符号の説明】
【００１７】１      表示板
１ａ    表示用プレート
１ｂ    マグネット部
２      ベース板
２ａ    スチールプレート
２ｂ    接着部
３      物体
４      トラック
５      荷台
【図１】
0003230040.tif 000003
【図２】
0003230040.tif 000004
【図３】
0003230040.tif 000005
【手続補正書】
【提出日】令和2年10月7日(2020.10.7)
【手続補正１】
【補正対象書類名】実用新案登録請求の範囲
【補正対象項目名】請求項２
【補正方法】変更
【補正の内容】
【請求項２】
前記物体が、車体全体、車体の荷台、壁、構造体、衣服、帽子、ガラス、サックであり、前記表示装置は前記物体の外面又は内面又は内外面に貼着するものであり、前記表示プレートとしてはパネル板、電子パネル（ＡＲやＶＲ処理を行うものも含みまたこのパネルとしては液晶パネルやＥＬパネルも含む）とからなることを特徴とする請求項１に記載の物体に貼着する表示装置。
【手続補正２】
【補正対象書類名】明細書
【補正対象項目名】０００７
【補正方法】変更
【補正の内容】
【０００７】  また、請求項２の考案は、前記物体が、車体全体、車体の荷台、壁、構造体、衣服、帽子、ガラス、サックであり、前記表示装置は前記物体の外面又は内面又は内外面に貼着するものであり、前記表示プレートとしてはパネル板、電子パネル（ＡＲやＶＲ処理を行うものも含みまたこのパネルとしては液晶パネルやＥＬパネルも含む）とからなることを特徴とする。
【手続補正３】
【補正対象書類名】明細書
【補正対象項目名】０００９
【補正方法】変更
【補正の内容】
【０００９】  また、本考案の請求項２の物体に貼着する表示装置によれば、物体として各種のものが具体的に示されると共に表示場所も物体の内外面に対しても適用され用途の拡大が図られる。また、ＡＲやＶＲの技術を用いた電子パネルや液晶パネルやＥＬパネルも電子パネルに含まれることを明記することにより用途や宣伝効果の拡大を図ることが出来る。